(57)【要約】【課題】エレベータの操作パネルの裏面に汎用のディスプレイを設置する。【解決手段】エレベータのディスプレイシステム１は操作パネル２の切欠き２ａの背面に設置されたディスプレイ１０と、ディスプレイ１０上に切欠き２ａの４点座標を入力する入力部１７とを備えている。入力部１７から切欠き２ａの４点座標を入力することにより、画面調整部１４において、ディスプレイ１０上の表示領域１０ａを特定する。【選択図】図２
2015134661.tif 000002
【特許請求の範囲】
【請求項１】
矩形状の切欠きを有するエレベータの操作パネルの切欠き背面に設置され、切欠きの形状より大きな形状をもつディスプレイと、
切欠きの４隅をディスプレイ上に入力することにより、ディスプレイの表示領域を特定する画面調整部と、
画面調整部で特定されたディスプレイ上の表示領域内に画像を表示する画面表示部とを備えたことを特徴とするエレベータのディスプレイシステム。
【請求項２】
画面調整部に調整スイッチが接続され、調整スイッチをＯＮとすることによって、画面調整部を作動モードとし、調整スイッチをＯＦＦとすることによって、画面調整部を非作動モードとすることを特徴とする請求項１記載のエレベータのディスプレイシステム。 
【請求項３】
画面表示部は、調整スイッチをＯＮとすることによりディスプレイの背景を第１色とし、画面調整部による表示領域の特定が終了したときディスプレイの背景を第１色と異なる第２色とすることを特徴とする請求項２記載のエレベータのディスプレイシステム。
【請求項４】
画面調整部に、切欠き情報を送る切欠き情報出力部が接続され、切欠き情報出力部からの切欠き情報に基づいて画面調整部においてディスプレイの表示領域を調整することを特徴とする請求項１乃至３のいずれか記載のエレベータのディスプレイシステム。 
【発明の詳細な説明】
【技術分野】
【０００１】
本発明の実施の形態は、エレベータの操作パネルに設置されるディスプレイを含むエレベータのディスプレイシステムに関する。
【背景技術】
【０００２】
図３（ａ）（ｂ）に示すように、従来より切欠き２ａを有するエレベータの操作パネル２が知られている。そして操作パネル２の切欠き２ａの背面にディスプレイ１０が設置されて、エレベータのディスプレイシステム１が構成される。この場合、ディスプレイ１０としては１行用ディスプレイと（図３（ａ）参照）、２行用ディスプレイとがある（図３（ｂ）参照）。また、１行用ディスプレイ１０は操作パネル２の小さな切欠き２ａの背面に設置され、２行用ディスプレイ１０は操作パネル２の大きな切欠き２ａの背面に設置されている。
【０００３】
また操作パネル２上には、戸閉／戸開ボタン３および行き先階ボタン４が設置されている。
【０００４】
操作パネル２の背面に設置されたディスプレイ１０を改良、交換する場合、その都度１行用ディスプレイあるいは２行用ディスプレイを準備して取換える必要があり、このため多種のディスプレイを準備しなければならない。
【０００５】
また、ディスプレイは近年、特開２００４−１０９３９６のように薄型表示装置として開発され、市場投入されるが、液晶パネルの進化に伴い、半年周期で市場の製品が改廃する状態となっている。そのため、エレベータで採用したディスプレイが経年変化により、使用できなくなり、交換するタイミングでは市場に同じディスプレイがなく、交換が難しい状態となる。また、交換を考慮して買いだめを行い、交換部品の確保をするが、在庫が増える問題もあり、財務的にも難しい。
【先行技術文献】
【特許文献】
【０００６】
【特許文献１】特開２００４−１０９３９６号公報
【発明の概要】
【発明が解決しようとする課題】
【０００７】
本発明は、このような点を考慮してなされたものであり、汎用のディスプレイを用いたエレベータのディスプレイシステムを提供することを目的とする。
【課題を解決するための手段】
【０００８】
本発明は、矩形状の切欠きを有するエレベータの操作パネルの切欠き背面に設置され、切欠きの形状より大きな形状をもつディスプレイと、切欠きの４隅をディスプレイ上に入力することにより、ディスプレイの表示領域を特定する画面調整部と、画面調整部で特定されたディスプレイ上の表示領域内に画像を表示する画面表示部とを備えたことを特徴とするエレベータのディスプレイシステムである。
【０００９】
本発明は、画面調整部に調整スイッチが接続され、調整スイッチをＯＮとすることによって、画面調整部を作動モードとし、調整スイッチをＯＦＦとすることによって、画面調整部を非作動モードとすることを特徴とするエレベータのディスプレイシステムである。
【００１０】
本発明は、画面表示部は、調整スイッチをＯＮとすることによりディスプレイの背景を第１色とし、画面調整部による表示領域の特定が終了したときディスプレイの背景を第１色と異なる第２色とすることを特徴とするエレベータのディスプレイシステムである。
【００１１】
本発明は、画面調整部に、切欠き情報を送る切欠き情報出力部が接続され、切欠き情報出力部からの切欠き情報に基づいて画面調整部においてディスプレイの表示領域を調整することを特徴とするエレベータのディスプレイシステムである。
【発明の効果】
【００１２】
以上のように本発明によれば、汎用のディスプレイを用いたエレベータのディスプレイシステムを提供することができる。
【図面の簡単な説明】
【００１３】
【図１】図１（ａ）（ｂ）は本実施の形態によるエレベータのディスプレイシステムを示す外観図。
【図２】図２は本実施の形態によるエレベータのディスプレイシステムを示すブロック図。
【図３】図３（ａ）（ｂ）は従来のエレベータのディスプレイシステムを示す外観図。
【発明を実施の形態】
【００１４】
次に図１（ａ）（ｂ）および図２により、本発明のエレベータのディスプレイシステムについて説明する。
エレベータのディスプレイシステム１は、矩形状の切欠き２ａを有する操作パネル２のうち、切欠き２ａ背面に設置されたタッチパネル機能をもつディスプレイ１０と、切欠き２ａの４隅（４点）をタッチパネル機能をもつディスプレイ１０上に入力する入力部１７と、入力部１７からの情報に基づいてディスプレイ１０の表示領域１０ａを判定する画面調整部１４と、画面調整部１４で特定された表示領域１０ａを構成する画面構成情報部１３とを備えている。
【００１５】
また画面構成情報部１３で構成された表示領域１０ａの設定情報は画面表示部１１に送られ、画面表示部１１はディスプレイ１０上の表示領域１０ａを確定する。
【００１６】
他方、映像信号が映像信号入力部１２に送られ、映像信号入力部１２からの映像信号は画面表示部１１に送られた後、ディスプレイ１０に送られる。
【００１７】
また画像調整部１４には調整スイッチ１６が接続され、この調整スイッチ１６をＯＮとした場合に画面調整部１４は作動モードをとり、調整スイッチ１６をＯＦＦとした場合に画面調整部１４は非作動モードをとる。また調整スイッチ１６をＯＮとした場合、画面調整部１４は画面構成情報部１３を介して画面表示部１１を作動させて、ディスプレイ１０の背景を第１色（例えば赤色）とする。また画面表示部１１において、ディスプレイ１０上の入力部１７から４点情報が入力され画面調整部１４においてディスプレイ１０の表示領域１０ａを特定し、画面表示部１１により表示領域１０ａを確定した際、画面表示部１１はディスプレイ１０の背景を第１色と異なる第２色（例えば青色）とする。
【００１８】
また画面調整部１４には、切欠き情報出力部１５が接続されている。切欠き情報出力部１５には、予め正確な切欠き２ａの形状に関する切欠き情報が内蔵されており、入力部１７から不正確な切欠き２ａの４点摩擦の情報が入力された場合、画面調整部１４は入力部１７からの４点摩擦の情報を調整する。
【００１９】
次にこのような構成からなる本実施の形態の作用について説明する。  
まず、図１（ａ）（ｂ）に示すように、エレベータのディスプレイシステム１として、小さな形状の切欠き２ａを有する操作パネル２（図１（ａ）参照）と、大きな形状の切欠き２ａを有する操作パネル（図１（ｂ）参照）とが準備され、各操作パネル２の切欠き２ａの背面にディスプレイ１０が設置される。
【００２０】
この場合、図１（ａ）に示す小さな形状の切欠き２ａの背面に設置されたディスプレイ１０は１行用ディスプレイとして機能し、図１（ｂ）に示す大きな形状の切欠き２ａの背面に設置されたディスプレイ１０は２行用ディスプレイとして機能する。また操作パネル２の背面に設けられたディスプレイ１０は、小さな形状の切欠き２ａ（図１（ａ）参照）および大きな形状の切欠き２ｂのいずれに対しても、より大きな形状をもつ。
【００２１】
次に図２に示すように、調整スイッチ１６をＯＮさせる。このとき画面調整部１４に調整スイッチ１６から調整信号が入力され、ディスプレイ１０の背景色が赤色に変化し、ディスプレイパネル１０のタッチパネル機能が動作すると共に調整モードとなる。背景色が赤色に変化することで、操作員に調整モードに入った事を知らせる事ができる。
【００２２】
調整モード後、操作員が切欠き２ａの４隅（Ａ、Ｂ、Ｃ、Ｄ）の座標をディスプレイ１０上でタッチする（入力部１７による入力）。このとき４点座標（Ａ、Ｂ、Ｃ、Ｄ）が画面調整部１４に入力される。これにより、画面調整部１４は映像を表示させるディスプレイ１０上の表示領域１０ａを特定する。この場合、小さい切欠き２ａを有する操作パネル２においては、切欠き２ａに対応した小さな表示領域１０ａが特定され、大きい切欠き２ａを有する操作パネル２においては、切欠き２ａに対応した大きな表示領域１０ａが特定される。４点座標を入力後、ディスプレイ１０の背景色が赤から青色に変化し、４点座標の入力が完了したことを操作員に知らせる。
【００２３】
ところで、４点座標を入力する際、表示させる範囲について、操作員が手作業にて入力するため、誤差が生じることがある。このため予め切欠き情報を画面調整部１４に入力しておくことで、画像調整部１４は例えばディスプレイ１０のＡ座標を基準として、縦、横の長さにＢ、Ｃの座標がある事を確認し、その後、画面調整部１４は誤差調整後にディスプレイ１０の表示領域１０ａを特定する。
【００２４】
表示位置の情報は画面構成情報１３に転送され、画面表示部１１でディスプレイ１０の表示領域１０ａを確定する。これにより、操作パネル２（１行用ディスプレイ）や操作パネル２（２行用ディスプレイ）の切欠き２ａの位置に正確に映像を表示する事が可能となる。
【００２５】
その後、調整スイッチ１６をＯＦＦとすることで、ディスプレイ１０のタッチパネル機能が使えなくなり、ディスプレイ１０に乗客が触れても誤動作はしない。
【００２６】
次に映像信号が映像信号入力部１２に送られ、映像信号入力部１２からの映像信号は画面表示部１１に送られた後、画像調整部１４により特定されたディスプレイ１０の表示領域１０ａに表示される。
【００２７】
この場合、ディスプレイ１０の表示領域１０ａは操作パネル２の切欠き２ａに対応している。
【００２８】
以上のように本実施の形態によれば、操作パネル２の切欠き２ａの形状に合わせて各種のディスプレイを設置する必要はなく、汎用のディスプレイを用いることができる。このため維持管理費用を少なく抑えることができる。
【符号の説明】
【００２９】
１  エレベータのディスプレイシステム
２  操作パネル
２ａ  切欠き
３  戸閉／戸開ボタン
４  行き先階ボタン
１０  ディスプレイ
１０ａ  表示領域
１１  画面表示部
１２  映像信号入力部
１３  画面構成情報部
１４  画面調整部
１５  切欠き情報出力部
１６  調整スイッチ
１７  入力部
【図１】
2015134661.tif 000003
【図２】
2015134661.tif 000004
【図３】
2015134661.tif 000005